(57)【特許請求の範囲】
【請求項１】
走行機体の後部に連結装置を介して着脱可能に連結される機枠と、この機枠に回転自在に設けられ、畦塗り用の泥土を切削して元畦箇所に供給する土盛体と、この土盛体の後方に位置して、前記土盛体により供給された泥土を回転しながら元畦に塗りつけて、元畦を修復するドラム状の整畦体とを有する畦塗り機の整畦体であって、
前記整畦体は、回転中心から外周側に向けて延びる回転方向後方側の端面が回転方向に対し後退角を有して湾曲する複数の整畦板を周方向に等間隔に形成し、各整畦板の前記端面は、前記整形体の軸心方向視において前記走行機体の走行に伴う前記整形体の回転時に、前記整畦板の任意の点が描くトロコイド曲線に沿って湾曲していることを特徴とする整畦体。
【請求項２】
上記整畦体は、元畦の上面を水平状に修復する円筒形状の上面修復体と、元畦の下方に向かって拡開し、元畦をテーパ状に修復するほぼ円錐形状の側面修復体とを有し、該側面修復体は、回転中心から外周側に向けて延びる回転方向後方側の端面が回転方向に対し後退角を有して湾曲する複数の整畦板を周方向に等間隔に形成し、
各整畦板の前記端面は、前記整形体の軸心方向視において前記走行機体の走行に伴う前記整形体の回転時に、前記整畦板の任意の点が描くトロコイド曲線に沿って湾曲し、各整畦板は、回転軸に対し、傾斜した状態に固定したことを特徴とする請求項１記載の整畦体。
【請求項３】
上記整畦体は、回転中心の取付け基部に、前記整形体の軸心方向視において内端側の幅が狭く、外端側の幅が次第に広くなる複数枚の整畦板の基端部を、隣接する整畦板が相互に所定の重なりを有するよう取付け、該整畦板の重なり部分を上下に固着し、螺旋状の垂直段部を形成したことを特徴とする請求項１又は２記載の整畦体。
【請求項４】
上記整畦体は、回転中心の取付け基部に、前記整形体の軸心方向視において内端側の幅が狭く、外端側の幅が次第に広くなる複数枚の整畦板の基端部を、隣接する整畦板が相互に所定の重なりを有するよう取付け、該整畦板の重なり部分を上下に固着し、前記重なり部分の隙間は内端側が狭く、外端側が広くなるよう、螺旋状の垂直段部を形成したことを特徴とする請求項１、２又は３記載の整畦体。
【請求項５】
上記整畦体は、回転中心の取付け基部に、前記整形体の軸心方向視において内端側の幅が狭く、外端側の幅が次第に広くなる複数枚の整畦板の基端部を、隣接する整畦板が相互に所定の重なりを有するよう取付け、該整畦板の重なり部分に折返し部を設けて上下に固着し、前記重なり部分の隙間は内端側が狭く、外端側が広くなるよう、螺旋状の垂直段部を形成したことを特徴とする請求項１、２、３又は４記載の整畦体。
【請求項６】
上記整畦体は、偏心回転しながら各整畦板を順に泥土に接して畦の内側面を形成することを特徴とする請求項１、２，３，４又は５記載の整畦体。
【請求項７】
上記整畦体の軸心方向視における外周縁は、円形に形成されていることを特徴とする請求項１、２、３，４，５又は６記載の整畦体。
【請求項８】
上記整畦体の軸心方向視における外周縁は、重なり部分の近辺を直線状にカットし、他の部分は円形に形成されていることを特徴とする請求項１、２、３，４，５、６又は７記載の整畦体。
【発明の詳細な説明】
【０００１】
【発明の属する技術分野】
本発明は、土盛体により切削されて元畦箇所に供給された畦塗り用の泥土を、回転しながら元畦に塗りつけて、元畦を修復するドラム状の整畦体を改良した畦塗り機の整畦体に関する。
【０００２】
【従来の技術】
従来、走行機体の後部に連結装置を介して着脱可能に連結される機枠と、この機枠に回転自在に設けられ、畦塗り用の泥土を切削して元畦箇所に供給する土盛体と、この土盛体の後方に位置して、前記土盛体により供給された泥土を回転しながら元畦に塗りつけて、元畦を修復するドラム状の整畦体（整畦ドラム）とを備えた畦塗り機が周知である。そして、整畦ドラムの泥土を回転しながら元畦に塗りつけ回転しながら畦の内側面を修復する側面修復体は、円錐状の円弧面または円錐状の多段平面を有している。
【０００３】
【発明が解決しようとする課題】
上記従来の畦塗り機においては、整畦ドラムの側面修復体が円錐状の円弧面または円錐状の多段平面を有しており、しかも偏心回転しながら土盛体により供給された泥土を元畦に塗りつけて畦の内側面を修復するので、土盛体により切削されて元畦箇所に供給される泥土の状態によっては、所望の（十分な）元畦修復が行えない場合がある、という問題点があった。本発明は、上記の問題点を改善することを目的になされたものである。
【０００４】
【課題を解決するための手段】
上記の目的を達成するために本発明は、以下の構成を特徴としている。
Ａ．走行機体の後部に連結装置を介して着脱可能に連結される機枠と、この機枠に回転自在に設けられ、畦塗り用の泥土を切削して元畦箇所に供給する土盛体と、この土盛体の後方に位置して、前記土盛体により供給された泥土を回転しながら元畦に塗りつけて、元畦を修復するドラム状の整畦体とを有する畦塗り機の整畦体であって、前記整畦体は、回転中心から外周側に向けて延びる回転方向後方側の端面が回転方向に対し後退角を有して湾曲する複数の整畦板を周方向に等間隔に形成し、各整畦板の前記端面は、前記整形体の軸心方向視において前記走行機体の走行に伴う前記整形体の回転時に、前記整畦板の任意の点が描くトロコイド曲線に沿って湾曲している。
【０００５】
Ｂ．上記整畦体は、元畦の上面を水平状に修復する円筒形状の上面修復体と、元畦の下方に向かって拡開し、元畦をテーパ状に修復するほぼ円錐形状の側面修復体とを有し、該側面修復体は、回転中心から外周側に向けて延びる回転方向後方側の端面が回転方向に対し後退角を有して湾曲する複数の整畦板を周方向に等間隔に形成し、各整畦板の前記端面は、前記整形体の軸心方向視において前記走行機体の走行に伴う前記整形体の回転時に、前記整畦板の任意の点が描くトロコイド曲線に沿って湾曲し、各整畦板は、回転軸に対し、傾斜した状態に固定した。
【０００６】
Ｃ．上記整畦体は、回転中心の取付け基部に、前記整形体の軸心方向視において内端側の幅が狭く、外端側の幅が次第に広くなる複数枚の整畦板の基端部を、隣接する整畦板が相互に所定の重なりを有するよう取付け、該整畦板の重なり部分を上下に固着し、螺旋状の垂直段部を形成した。
Ｄ．上記整畦体は、回転中心の取付け基部に、前記整形体の軸心方向視において内端側の幅が狭く、外端側の幅が次第に広くなる複数枚の整畦板の基端部を、隣接する整畦板が相互に所定の重なりを有するよう取付け、該整畦板の重なり部分を上下に固着し、前記重なり部分の隙間は内端側が狭く、外端側が広くなるよう、螺旋状の垂直段部を形成した。
【０００７】
Ｅ．上記整畦体は、回転中心の取付け基部に、前記整形体の軸心方向視において内端側の幅が狭く、外端側の幅が次第に広くなる複数枚の整畦板の基端部を、隣接する整畦板が相互に所定の重なりを有するよう取付け、該整畦板の重なり部分に折返し部を設けて上下に固着し、前記重なり部分の隙間は内端側が狭く、外端側が広くなるよう、螺旋状の垂直段部を形成した。
Ｆ．上記整畦体は、偏心回転しながら各整畦板を順に泥土に接して畦の内側面を形成する。
【０００８】
Ｇ．上記整畦体の軸心方向視における外周縁は、円形に形成されている。
Ｈ．上記整畦体の軸心方向視における外周縁は、重なり部分の近辺を直線状にカットし、他の部分は円形に形成されている。
【０００９】
【作用】
上記Ａ．〜Ｈ．の構成により本発明の畦塗り機における整畦体（整畦ドラム）は、以下の作用を行う。
１．整畦体が、回転中心から外周側に向けて延びる回転方向後方側の端面が回転方向に対し後退角を有して湾曲する複数の整畦板を周方向に等間隔に形成し、各整畦板の回転方向後方側の端面は、整形体の軸心方向視において走行機体の走行に伴う整形体の回転時に、整畦板の任意の点が描くトロコイド曲線に沿って湾曲していることで、整畦体は土盛体により供給された泥土を抵抗を少なくして元畦に塗りつけ、側方に向け徐々に圧力をかけて、元畦の修復が良好に行われる。特に、土盛体により供給される泥土の土質が悪い場合や含水率が適当でない場合でも、従来の整畦体に比べ良好な畦が形成される。
【００１０】
２．整畦体が、元畦の上面を水平状に修復する円筒形状の上面修復体と、元畦の下方に向かって拡開し、元畦をテーパ状に修復するほぼ円錐形状の側面修復体とを有し、該側面修復体は、回転中心から外周側に向けて延びる回転方向後方側の端面が回転方向に対し後退角を有して湾曲する複数の整畦板を周方向に等間隔に形成し、各整畦板の回転方向後方側の端面は、整形体の軸心方向視において走行機体の走行に伴う整形体の回転時に、整畦板の任意の点が描くトロコイド曲線に沿って湾曲し、各整畦板は、回転軸に対し、傾斜した状態に固定することで、元畦の上面が上面修復体により水平状に修復され、元畦の側面は側面修復体により徐々に圧力がかけられ、泥土が押し固められるようにして塗りつけられる。また、回転方向後方側の端面が整畦板の任意の点が描くトロコイド曲線に沿って湾曲した複雑な表面形状を有する整畦体を、容易に製造することができる。
【００１１】
３．整畦体は、回転中心の取付け基部に、整形体の軸心方向視において内端側の幅が狭く、外端側の幅が次第に広くなる複数枚の整畦板の基端部を、隣接する整畦板が相互に所定の重なりを有するよう取付け、該整畦板の重なり部分を上下に固着し、螺旋状の垂直段部を形成することで、回転方向後方側の端面が整畦板の任意の点が描くトロコイド曲線に沿って湾曲し、周面に複数の垂直段部を形成した複雑な形状の整畦体を、強固に製造することができる。
４．整畦体は、回転中心の取付け基部に、整形体の軸心方向視において内端側の幅が狭く、外端側の幅が次第に広くなる複数枚の整畦板の基端部を、隣接する整畦板が相互に所定の重なりを有するよう取付け、該整畦板の重なり部分を上下に固着し、前記重なり部分の隙間は内端側が狭く、外端側が広くなるよう、螺旋状の垂直段部を形成することで、外見が複雑な構成を有している整畦体を、容易に製造することができる。
【００１２】
５．整畦体は、回転中心の取付け基部に、整形体の軸心方向視において内端側の幅が狭く、外端側の幅が次第に広くなる複数枚の整畦板の基端部を、隣接する整畦板が相互に所定の重なりを有するよう取付け、該整畦板の重なり部分に折返し部を設けて上下に固着し、前記重なり部分の隙間は内端側が狭く、外端側が広くなるよう、螺旋状の垂直段部を形成することで、整形体の軸心方向視において複雑な形状を有する整畦体を、容易に、かつ強固に製造することができる。
６．整畦体は、偏心回転しながら各整畦板を順に泥土に接して畦の内側面を形成することで、土盛体により供給された泥土を、偏心回転する各整畦板により叩きながら元畦の側面に対し強固に塗りつけることができる。
【００１３】
７．整畦体の軸心方向視における外周縁は、円形に形成されていることで、整畦ドラムの外周縁の土壌との接触がスムーズに行われる。
８．整畦体の軸心方向視における外周縁は、重なり部分の近辺を直線状にカットし、他の部分は円形に形成されていることで、垂直段部を形成している厚さが最も厚い先端位置に直線状カット部分が形成されることになって、整畦体の外周縁が土壌と点接触して作業を効率よく行い、垂直段部による畦整形効果が高められる。
【００１４】
【発明の実施の形態】
以下、本発明の実施の形態を添付の図面を参照して具体的に説明する。図１〜図３において、符号１は図示しないトラクタの後部に設けられたトップリンク及び左右一対のロアリンクにより昇降可能に連結され、トラクタのＰＴＯ軸から動力を受けて土盛体５及びドラム状の整畦体６を回転駆動し、圃場において土盛体５により畦塗り用の泥土を切削して元畦箇所に供給し、該土盛体５により供給された泥土を整畦体６により元畦に塗りつけて元畦を修復する整畦作業を行う畦塗り機である。この畦塗り機１は、前記トップリンク及びロアリンクに連結されるトップマスト２及びロアリンク連結部３を、機枠４から前方に突出させた左右一対のヒッチフレーム１１に設け、土盛体５及びその後方に設けられる整畦体６は、機枠４により連結されて左右方向に配設されている。
【００１５】
機枠４は、伝動ケースを兼ねており、土盛体５及び整畦体６に動力を伝達するように連結している。該機枠４の基端部は、左右一対の支持フレーム７に左右回動（昇降）可能に支持され、機枠４を介して土盛体５及び整畦体６を作業位置と非作業位置とに回動するようにしている。機枠４の先端部には、前方に向け土盛体５に動力伝達するための出力軸を内装した伝動ケース８を一体的に設けると共に、後方に向け整畦体６を駆動するための伝動ケース９及び減速機構を内装したデフケース１０を一体的に設けている。
【００１６】
支持フレーム７は、その先端部に、水平方向の連結軸１３を介して左右一対のヒッチフレーム１１の基端部が上下回動可能に連結されて前方に向け延出されている。このヒッチフレーム１１の両先端部に前記トップマスト２が取付けられ、トラクタに設けられたトップリンクに連結ピンを介して上下回動可能に枢支される。また、ヒッチフレーム１１の両基端側に前記ロアリンク連結部３が取付けられ、トラクタに設けられた左右一対のロアリンクに連結ピンを介して上下回動可能に枢支される。そして、トラクタのロアリンクをロアリンク連結部３に連結して畦塗り機１を揚上させたとき、ヒッチフレーム１１と機枠４の基端部との間の連結軸１３を中心として機枠４、土盛体５、整畦ドラム６等は下方に回動し、畦塗り機１を非作業位置に回動した状態でトラクタの後部に接近するのを防止する。また、支持フレーム７の先端部の前後長さを調節することで、トラクタに対する畦塗り機１の支持高さを調節する。
【００１７】
上記ヒッチフレーム１１，１１間には、前後方向に入力軸１２が軸支されている。この入力軸１２の先端部には、トラクタのＰＴＯ軸から図示しないユニバーサルジョイント、伝動軸等を介して動力が伝達される。入力軸１２の後方に位置する上記機枠４の基端部には、該基端部の垂直面内での回転中心となる回転軸１４が前後方向に軸支され、この回転軸１４の先端部と入力軸１２の後端部との間を図示しないユニバーサルジョイントにより連結し、このユニバーサルジョイントの位置で上下回動可能となっている。回転軸１４から動力が機枠４を通って伝動ケース８，９及びデフケース１０に伝達され、土盛体５及び整畦体６をそれぞれ駆動する。
【００１８】
回転軸１４には、入力軸１２から回転軸１４に伝達される回転動力を接，断するクラッチ（図示せず）が設けられている。このクラッチは、機枠４を介して土盛体５及び整畦体６を作業位置に回動したとき接続され、土盛体５及び整畦体６を非作業位置に回動したとき断たれるように作動する。また、このクラッチは、機枠４の基端部（回転軸１４）を中心に土盛体５及び整畦体６を作業位置と非作業位置に回動させたとき、作業位置では動力が接続状態となり、非作業位置では動力が断たれる状態になるように、土盛体５、整畦体６を作業位置と非作業位置に回動させる回動動作と連動して自動的に切換えられるようになっている。
【００１９】
土盛体５は、図示しないが、ロータリ軸の軸周に複数本の切削爪と土寄せ板を放射方向に装着すると共に、上側をカバーにより覆い、元畦の一部及び圃場の土壌を切削して元畦に対して畦状に盛り上げる周知のロータリ切削装置からなるものである。また、整畦体６は、図４以下の図面に示すが、その第１の実施例のものは図４ないし図６に示すように、偏心回転しながら畦の内側面を形成する整畦ドラム１５の外周面に、回転中心から外周側に向けて延びる回転方向後方側の端面が回転方向に対し後退角を有して湾曲する複数（実施例では８枚）の整畦板１５ａを周方向に等間隔に形成し、各整畦板１５ａの回転方向後方側の端面は、整形ドラム１５の軸心方向視においてトラクタの走行に伴う整形ドラム１５の回転時に、整畦ドラム１５の任意の点が描くトロコイド曲線に沿って湾曲し、整畦ドラム１５は、偏心回転しながら各整畦板１５ａを順に泥土に接して畦の内側面を形成するものである。整畦ドラム１５の軸心方向視における外周縁は円形に形成されている。
【００２０】
整畦ドラム１５の回転中心には、元畦の上面を水平状に修復する円筒形状の上面修復体１６が設けられ、この上面修復体１６を中心に各整畦板１５ａが元畦の下方に向かって拡開し、元畦をテーパ状に修復するほぼ円錐形状の側面修復体を形成している。上面修復体１６は、外側に向け延長部が取付け可能である。各整畦板１５ａは、回転軸（上面修復体１６の回転中心）に対し傾斜した状態に固定され、また、各整畦板１５ａは複数のスペーサ１５ｂによりそれぞれ上下に垂直段部を有して固着されている。各整畦板１５ａにより形成される側面修復体及び上面修復体１６の上方は、一体に成形されたカバーにより覆われている。
【００２１】
上記土盛体５の上側には、土盛量調節装置１７が設けられている。また、整畦ドラム１５の上側には、回動用手摺り１８が設けられている。前記ヒッチフレーム１１と機枠４との間には、畦塗り機１を機枠４の基端部を中心に回動させて機枠４を介して土盛体５及び整畦体６を作業位置と非作業位置に回動させる際、その回動作動に合わせて姿勢制御が行える、回転ハンドル２０を備えた作業部回動装置１９が平面視で前後斜め方向に設けられている。機枠４には、接地輪（コールタ）２１が上下調節装置２１ａを介して設けられている。
【００２２】
そして、作業者が回動用手摺り１８を持って上方あるいは下方に回動させることで、機枠４を介して土盛体５及び整畦体６が機枠４の基端部を中心に回動して土盛体５及び整畦体６を作業位置あるいは非作業位置のいずれかに移動させる。上記機枠４の基端部の外周部には、土盛体５及び整畦体６を、機枠４の基端部を中心に回動させて作業位置あるいは非作業位置に回動させたとき、それぞれの位置にロックする回動ロック装置を設けている。
【００２３】
ヒッチフレーム１１と機枠４の先端部との間には、土盛体５及び整畦体６を機枠４の基端部を中心に回動させて、土盛体５及び整畦体６を作業位置あるいは非作業位置に移動させる際に、補助的働きをするガススプリング２２が介装されている。このガススプリング２２は、機枠４を介して土盛体５及び整畦体６を作業位置から非作業位置に移動させるときは、土盛体５及び整畦体６を軽く揚上させるように弾発作用する。逆に土盛体５及び整畦体６を非作業位置から作業位置に移動させるときは、土盛体５及び整畦体６が自重により急激に回動して落下しないように弾持する。畦塗り機１には、トラクタに着脱するとき、あるいは移動させたり、収納したりする際に用いるスタンド２３が着脱可能に設けられている。
【００２４】
前記整畦ドラム１５の各整畦板１５ａは、図７ないし図９の網掛け図１５ｃで示す形状をしている。各整畦板１５ａにより形成される側面修復体は、回転中心から外周側に向けて延びる回転方向後方側の端面が回転方向に対し後退角を有して湾曲する複数の整畦板１５ａを周方向に等間隔に配設し、各整畦板１５ａの回転方向後方側の端面は、整形ドラム１５の軸心方向視においてトラクタの走行に伴う整形ドラム１５の回転時に、整畦ドラム１５の任意の点が描くトロコイド曲線に沿って湾曲し、整畦ドラム１５は、回転軸に対し、傾斜した状態に固定されている。また、整畦板１５ａの重なり部分をスペーサ２４ｂを介して上下に固着し、前記重なり部分の隙間は、内端側が狭く、外端側が広くなるよう、螺旋状の垂直段部を形成している。
【００２５】
また、整畦ドラム１５は、上記第１実施例のもののように、回転中心の取付け基部に、整畦ドラム１５の軸心方向視における内端側の幅が狭く、外端側の幅が次第に広くなる複数枚の整畦板１５ａの基端部を、隣接する整畦板１５ａが相互に所定の重なりを有するよう取付け、該整畦板１５ａの重なり部分に、図示しないが折返し部を設けて上下に固着し、前記重なり部分の隙間は内端側が狭く、外端側が広くなるよう、螺旋状の垂直段部を形成してもよいものである。
【００２６】
図１０ないし図１３に示す第２実施例の整畦ドラム２４は、図４ないし図７に示されている第１実施例の整畦ドラム１５とは、上面修復体のボス部１６ａの形状が異なるだけで、他の構成は同じものである。即ち、回転中心の取付け基部に、基端部から先端側に径が順に細くなる複数の段層状のボス部１６ａを設け、その太径基部に、整畦ドラム２４の軸心方向視における内端側の幅が狭く、外端側の幅が次第に広くなる複数枚の整畦板２４ａの基端部を、隣接する整畦板２４ａが相互に所定の重なりを有するよう取付け、該整畦板２４ａの重なり部分をスペーサ２４ｂにより上下に固着し、螺旋状の垂直段部を形成したものである。また、上面修復体は、ボス部１６ａの細径側に取り付けられる。符号２４ｃは網掛け図である。
【００２７】
図１４及び図１５に示す第３実施例の整畦ドラム２５は、ドラムの内側に第１の係止板２５ｂと第２の係止板２５ｃとを設けて、両係止板２５ｂ，２５ｃにより整畦板２５ａを１枚置きに固着し、上面修復体１６ｃのボス部に取付けている。そして、各整畦板２５ａの境界部分に螺旋状の垂直段部を形成している。図１６に示す第４実施例の整畦ドラム２６は、ドラムの内側に１枚の係止板２６ｂを設けて、この係止板２６ｂにより各整畦板２６ａを固着し、上面修復体１６ｄのボス部に取付けている。そして、各整畦板２６ａの境界部分に螺旋状の垂直段部を形成している。
【００２８】
さらに、図１７に示す第５実施例の整畦ドラム２７は、第１及び第２実施例の整畦ドラムと同様に、偏心回転しながら畦の内側面を形成する整畦ドラム２７の外周面に、回転中心から外周側に向けて延びる回転方向後方側の端面が回転方向に対し後退角を有して湾曲する複数の整畦板２７ａを周方向に等間隔に形成し、各整畦板２７ａの回転方向後方側の端面は、整形ドラム２７の軸心方向視においてトラクタの走行に伴う整形ドラム２７の回転時に、整畦ドラム２７の任意の点が描くトロコイド曲線に沿って湾曲し、整畦ドラム２７は、偏心回転しながら各整畦板２７ａを順に泥土に接して畦の内側面を形成するものである。整畦ドラム２７の回転中心には、元畦の上面を水平状に修復する上面修復体１６ｄが設けられている。この整畦ドラム２７の軸心方向視における外周縁は、重なり部分の近辺を直線状にカットした直線部分２７ｃと他の部分は円形にした円形部分２７ｄにより形成されている。
【００２９】
このような構成の畦塗り機１においては、トラクタの後部のトップリンクにトップマスト２を、ロアリンクにロアリンク連結部３をそれぞれ連結して、３点リンクにより昇降可能に連結する。トラクタのＰＴＯ軸からユニバーサルジョイントを介して入力軸１２に動力が伝達される。畦塗り機１が整畦作業を行うときは、土盛体５及び整畦体６を、機枠４の基端部を中心に回動させて作業位置に移動させる。この回動動作は、まずロックを解除し、回動用手摺り１８を持って下方へ回転することにより行われる。このとき、ガススプリング２２は、土盛体５、整畦体６が自重により急激に回動、降下しないように弾発する。土盛体５、整畦体６が作業位置に達すると回動ロック装置がロックされる。
【００３０】
土盛体５、整畦体６が作業状態に回動する動作と連動して回転軸１４のクラッチが接続状態となる。そして、入力軸１２に受けた動力は、ユニバーサルジョイントを介して回転軸１４に伝達され、回転軸１４から機枠４を通って伝動ケース８，９及びデフケース１０に伝達され、土盛体５及び整畦体６をそれぞれ駆動する。そして、トラクタ２の走行と共に、土盛体５及び整畦体６により整畦作業が行われる。土盛体５及び整畦体６の作用深さを調節するときは、トラクタのロアリンクにより畦塗り機１の支持高さを変えることによって行うことができるが、基本的には接地輪２１を上下移動調節することにより行う。また、作業部回動装置１９の前後長さを調節することにより、トラクタに対する畦塗り機１の作業姿勢が調節される。
【００３１】
土盛体５では切削爪と土寄せ板により元畦の一部及び圃場の土壌を切削して元畦側に対して畦状に盛り上げ、その盛り上げた土壌を整畦体６の整畦ドラム１５，２４，２５，２６，２７の整畦面が偏心回転して畦法面を叩いて目的とする畦に成形する。また、水平円筒体１６により整畦ドラムによって成形された畦の頂部を平らに成形する。
【００３２】
畦塗り機１が作業を行わずトラクタに連結されて路上走行するときは、土盛体５及び整畦体６を、機枠４の基端部を中心に回動させて非作業位置に移動させる。この回動動作は、まずロックを解除し、作業者が回動用手摺り１８を持って上方へ回転することにより行われる。このとき、ガススプリング２２は、土盛体５、整畦体６がその自重により急激に回動して降下しないように弾発する。土盛体５、整畦体６が非作業位置に達すると、回動ロック装置によりロックされ、回転軸１４のクラッチが自動的に断状態となる。
【００３３】
【発明の効果】
以上説明したように本発明の畦塗り機の整畦体によれば、上記の構成により以下の作用効果を奏することができる。
【００３４】
１．  整畦体が、回転中心から外周側に向けて延びる回転方向後方側の端面が回転方向に対し後退角を有して湾曲する複数の整畦板を周方向に等間隔に形成し、各整畦板の回転方向後方側の端面は、整形体の軸心方向視において走行機体の走行に伴う整形体の回転時に、整畦板の任意の点が描くトロコイド曲線に沿って湾曲しているので、整畦体は土盛体により供給された泥土を抵抗を少なくして元畦に塗りつけ、側方に向け徐々に圧力をかけて、元畦の修復を良好に行うことができる。特に、土盛体により供給される泥土の土質が悪い場合や含水率が適当でない場合でも、従来の整畦体に比べ良好な畦を形成することができる。
【００３５】
２．整畦体が、元畦の上面を水平状に修復する円筒形状の上面修復体と、元畦の下方に向かって拡開し、元畦をテーパ状に修復するほぼ円錐形状の側面修復体とを有し、該側面修復体は、回転中心から外周側に向けて延びる回転方向後方側の端面が回転方向に対し後退角を有して湾曲する複数の整畦板を周方向に等間隔に形成し、各整畦板の回転方向後方側の端面は、整形体の軸心方向視において走行機体の走行に伴う整形体の回転時に、整畦板の任意の点が描くトロコイド曲線に沿って湾曲し、各整畦板は、回転軸に対し、傾斜した状態に固定するので、元畦の上面が上面修復体により水平状に修復され、元畦の側面は側面修復体により徐々に圧力がかけられて泥土を押し固められるようにして塗りつけことができる。また、回転方向に螺旋状に捻曲し、複雑な表面形状を有する整畦体を、容易に製造することができる。
【００３６】
３．整畦体は、回転中心の取付け基部に、整形体の軸心方向視において内端側の幅が狭く、外端側の幅が次第に広くなる複数枚の整畦板の基端部を、隣接する整畦板が相互に所定の重なりを有するよう取付け、該整畦板の重なり部分を上下に固着し、螺旋状の垂直段部を形成するので、回転方向に螺旋状に捻曲し、周面に複数の垂直段部を形成した複雑な形状の整畦体を、強固に製造することができる。
４．整畦体は、回転中心の取付け基部に、整形体の軸心方向視において内端側の幅が狭く、外端側の幅が次第に広くなる複数枚の整畦板の基端部を、隣接する整畦板が相互に所定の重なりを有するよう取付け、該整畦板の重なり部分を上下に固着し、前記重なり部分の隙間は内端側が狭く、外端側が広くなるよう、螺旋状の垂直段部を形成するので、外見が複雑な構成を有している整畦体を、容易に製造することができる。
【００３７】
５．整畦体は、回転中心の取付け基部に、整形体の軸心方向視において内端側の幅が狭く、外端側の幅が次第に広くなる複数枚の整畦板の基端部を、隣接する整畦板が相互に所定の重なりを有するよう取付け、該整畦板の重なり部分に折返し部を設けて上下に固着し、前記重なり部分の隙間は内端側が狭く、外端側が広くなるよう、螺旋状の垂直段部を形成するので、整形体の軸心方向視において複雑な形状を有する整畦体を、容易に、かつ強固に製造することができる。
６．整畦体は、偏心回転しながら各整畦板を順に泥土に接して畦の内側面を形成するので、土盛体により供給された泥土を、偏心回転する各整畦板により叩きながら元畦の側面に対し強固に塗りつけることができる。
【００３８】
７．整畦体の軸心方向視における外周縁は、円形に形成されているので、整畦体の外周縁の土壌との接触をスムーズに行うことができる。
８．整畦体の軸心方向視における外周縁は、重なり部分の近辺を直線状にカットし、他の部分は円形に形成されているので、垂直段部を形成している厚さが最も厚い先端位置に直線状カット部分が形成されることになって、整畦体の外周縁が土壌と点接触して作業を効率よく行い、垂直段部により畦整形効果を高めることができる。
【図面の簡単な説明】
【図１】本発明による畦塗り機の側面図である。
【図２】同平面図である。
【図３】同背面図である。
【図４】整畦体の第１実施例の側面図である。
【図５】同斜視図である。
【図６】同正面図である。
【図７】同網掛けの斜視図である。
【図８】同部分側面図である。
【図９】同部分正面図である。
【図１０】整畦体の第２実施例の側面図である。
【図１１】同斜視図である。
【図１２】同正面図である。
【図１３】同網掛けの斜視図である。
【図１４】整畦体の第３実施例の側面図である。
【図１５】同正面図である。
【図１６】整畦体の第４実施例の側面図である。
【図１７】整畦体の第５実施例の側面図である。
【符号の説明】
１  畦塗り機
２  トップマスト
３  ロアリンク連結部
４  機枠
５  土盛体
６  整畦体
７  支持フレーム
８，９  伝動ケース
１０  デフケース
１１  ヒッチフレーム
１２  入力軸
１３  連結軸
１４  回転軸
１５，２４，２５，２６，２７  整畦ドラム（整畦体）
１６  上面修復体
１７  土盛量調節装置
１８  回動用手摺り
１９  作業部回動装置
２０  回転ハンドル
２１  接地輪（コールタ）
２２  ガススプリング
２３  スタンド
【図１】
0004838943.tif 000002
【図２】
0004838943.tif 000003
【図３】
0004838943.tif 000004
【図４】
0004838943.tif 000005
【図５】
0004838943.tif 000006
【図６】
0004838943.tif 000007
【図７】
0004838943.tif 000008
【図８】
0004838943.tif 000009
【図９】
0004838943.tif 000010
【図１０】
0004838943.tif 000011
【図１１】
0004838943.tif 000012
【図１２】
0004838943.tif 000013
【図１３】
0004838943.tif 000014
【図１４】
0004838943.tif 000015
【図１５】
0004838943.tif 000016
【図１６】
0004838943.tif 000017
【図１７】
0004838943.tif 000018